(57)【要約】      （修正有）【課題】識別情報の読取り機能を利用して簡単にマスタ識別情報や利用者識別情報の登録を可能とする。【解決手段】アクセスコントロール装置１０は、電気錠を備えた扉に対応して設置され、リーダによるカードの読取り認証により電気錠を解錠又は施錠すると共に、利用者情報、設備設定情報、運用履歴情報及び入退出情報を管理する。マスタカード登録部１１４は装置に１枚のみ有効なマスタカードの識別情報を読取って登録する。利用者カード登録部１１６は、マスタカードの読取り認証に基づきカード登録モードを設定し、カード登録モードの設定中の未登録カードの読取りを認識して有効カードとして登録する。【選択図】図５
2010160730.tif 000002
【特許請求の範囲】
【請求項１】
電気錠を備えた扉に対応して設置され、利用者の識別情報の認証により前記電気錠を解錠又は施錠すると共に、利用者情報を含む入退出情報を管理するアクセスコントロール装置に於いて、
装置に利用者情報等の登録権限を有するマスタ識別情報の読取りを認識して登録するマスタ識別情報登録部と、
前記マスタ識別情報の読取り認証に基づき利用者情報登録モードを設定し、前記利用者情報登録モードの設定中に未登録の識別情報の読取りを認識して有効識別情報として登録する利用者識別情報登録部と、
を備えたことを特徴とするアクセスコントロール装置。
【請求項２】
請求項１記載のアクセスコントロール装置に於いて、
前記マスタ識別情報登録部は、
カバーを外し、スイッチの操作を検出してマスタ識別情報登録モードを設定し、
前記マスタ識別情報登録モードの設定開始から所定時間以内に読取った識別情報をマスタ識別情報として登録する、
ことを特徴とするアクセスコントロール装置。
【請求項３】
請求項１記載のアクセスコントロール装置に於いて、
前記マスタ識別情報登録部は、マスタ識別情報として一つの識別情報のみ登録が可能であり、既にマスタ識別情報が登録されている場合は、新しく読取った識別情報に更新して登録することを特徴とするアクセスコントロール装置。
【請求項４】
請求項１記載のアクセスコントロール装置に於いて、
前記利用者識別情報登録部は、
識別情報登録モードの設定操作の検出と前記設定操作から所定時間以内の前記マスタ識別情報の読取り認識に基づいて識別情報登録モードを設定し、
前記識別情報登録モードの設定中に読取った識別情報が未登録か否かを判別して報知し、未登録の場合に所定時間以内の登録操作を検出して有効識別情報として登録することを特徴とするアクセスコントロール装置。
【請求項５】
請求項１記載のアクセスコントロール装置に於いて、前記利用者識別情報登録部は、読取った識別情報が登録済みの場合、所定時間以内の削除操作を検出して登録情報を削除することを特徴とするアクセスコントロール装置。
【請求項６】
請求項１記載のアクセスコントロール装置に於いて、前記利用者識別情報登録部は、前記識別情報登録モードの設定開始から所定時間以内の一括削除操作を検出して全ての利用者識別情報の登録を削除することを特徴とするアクセスコントロール装置。
【発明の詳細な説明】
【技術分野】
【０００１】
本発明は、カードなどの識別情報を用いた認証により電気錠を解錠又は施錠すると共に入退出情報を管理するアクセスコントロール装置に関し、特に、電気錠を備えた扉に対応して設置可能なスタンドアローン型のアクセスコントロール装置に関する。
【背景技術】
【０００２】
従来、オフィスビル等の各種施設において、セキュリティを確保するため、室内への人の出入りを管理する入退室管理システムが利用されている。この入退室管理システムは、一般に、管理室等に配置されるウェブサーバ機能を備えたコントロール装置、各部屋の近傍等に配置される制御盤、各部屋の扉の近傍に配置されるカードリーダ、および、各扉に配置される電気錠等で構成されている。
【０００３】
システムの運用に際しては、各部屋に出入りすることが許される利用者の識別情報をアクセスコントロール装置に設定し、この識別情報を制御盤にアップロードする。利用者が各部屋に出入りする際、自己の識別情報を記録したカードをカードリーダに通すと、カードリーダで読み取られた識別情報が制御盤に送信され、この制御盤で識別情報の照合が行われる。識別情報が合致した場合には、電気錠が解錠されて利用者が入退室することができ、識別情報が合致しない場合には、電気錠が施錠状態のまま保持されて利用者の入退室が拒否される。
【０００４】
また入退出管理情報の参照や閲覧については、イーサネット（Ｒ）などにより接続したクライアントマシンからウェブサーバにアクセスしてできるようにしている。
【０００５】
また入退出管理システムにあっては、運用履歴の日付情報や時間帯による解錠施錠管理などのために年月日時分秒の時刻情報を生成する時計機能を備えている。
【先行技術文献】
【特許文献】
【０００６】
【特許文献１】特開２００２−２９８１８２号公報
【特許文献２】特開２００１−０２０５７４号公報
【発明の概要】
【発明が解決しようとする課題】
【０００７】
しかしながら、このような従来の入退出管理システムにあっては、大型のオフィスビルなどを対象とした部屋数の多い規模の大きな施設を対象としており、上位に設置したウェブ機能を備えたアクセスコントロール装置からネットワークを介して各部屋に設置された制御盤及びカードリーダのデータ管理を行っており、部屋数の比較的少ない小規模の施設に設置するにはコストが嵩み、サポートすることができない問題がある。
【０００８】
そこで、小規模な施設を対象に簡易的な入出退管理をサポートするため、従来のネットワークによるデータ管理に加え、可搬型メモリデバイスを使用したオフラインでのデータ授受などのデータ管理機能を採用するスタンドアローン型のアクセスコントロール装置が考えられている。
【０００９】
可搬型メモリデバイスを使用したオフラインによるデータ管理は、装置運用における各種設定時に設定権限を有するマスタカードや、複数の利用者カードの情報などの運用に必要な情報を可搬型メモリデバイスに格納し、アクセスコントロール装置に接続してカード情報の登録などを行うことになる。
【００１０】
このような可搬型メモリデバイスを使用したオフラインによるカード情報の登録は、多数のカード情報を一括してアクセスコントロール装置に登録できることからシステムを立ち上げる際の登録作業として便利ではある。しかしながら、利用者カード枚数が少ない場合や、運用中に利用者カードを追加したり削除したりする場合には、その都度、管理用にパーソナルコンピュータに可搬型メモリデバイスをセットしてカード情報を格納し、アクセスコントロール装置のカバーを外して可搬型メモリデバイスを接続して登録することとなり、カード枚数が少ない場合には手間と時間がかかるという問題がある。
【００１１】
本発明は、カードの読取り機能を利用して簡単にマスタカードや利用者カードの登録を可能とするアクセスコントロール装置を提供することを目的とする。
【課題を解決するための手段】
【００１２】
本発明は、電気錠を備えた扉に対応して設置され、利用者の識別情報の認証により電気錠を解錠又は施錠すると共に、利用者情報を含む入退出情報を管理するアクセスコントロール装置に於いて、
装置に利用者情報等の登録権限を有するマスタ識別情報の読取りを認識して登録するマスタ識別情報登録部と、
マスタ識別情報の読取り認証に基づき利用者情報登録モードを設定し、利用者情報登録モードの設定中の未登録の識別情報の読取りを認識して有効識別情報として登録する利用者識別情報登録部と、
を備えたことを特徴とする。
【００１３】
ここで、マスタ識別情報登録部は、
カバーを外し、スイッチの操作を検出してマスタ識別情報登録モードを設定し、
マスタ識別情報登録モードの設定開始から所定時間以内に読取った識別情報をマスタ識別情報として登録する。
マスタ識別情報登録部は、マスタ識別情報として一つの識別情報のみ登録が可能で、既にマスタ識別情報が登録されている場合は、新しく読取った識別情報に更新して登録する。
【００１４】
利用者識別情報登録部は、
識別情報登録モードの設定操作の検出と設定操作から所定時間以内のマスタ識別情報の読取り認識に基づいて識別情報登録モードを設定し、
識別情報登録モードの設定中に読取った識別情報が未登録か否かを判別して報知し、未登録の場合に所定時間以内の登録操作を検出して有効識別情報として登録する。
【００１５】
利用者識別情報登録部は、読取った識別情報が登録済みの場合、所定時間以内の削除操作を検出して登録情報を削除する。
【００１６】
利用者識別情報登録部は、識別情報登録モードの設定開始から所定時間以内の一括削除操作を検出して全ての利用者識別情報の登録を削除する。
【発明の効果】
【００１７】
本発明によれば、装置にマスタカードを登録した後、モード設定操作とマスタ識別情報の読取り認証に基づいて利用者情報登録モードが設定され、利用者情報登録モードの設定中に、利用者識別情報を読み込むと、未登録の有無が表示灯などで報知され、未登録の場合には登録スイッチにより登録操作を行うと有効識別情報として登録され、マスタ識別情報と利用者識別情報を読込んで登録操作をするだけで、簡単且つ容易に利用者識別情報を登録することができる。
【００１８】
また、利用者識別情報を削除したい場合も、マスタ識別情報と利用者識別情報の認証で削除操作を行うと読取った利用者識別情報の登録情報を簡単且つ容易に削除することができる。
【００１９】
また、利用者識別情報の削除は例えば削除スイッチを長押しすることにより、全ての利用者識別情報の登録情報を一括して削除することもできる。
【００２０】
また利用者識別情報の読取りによる登録と削除は、必ずマスタ識別情報の読取り認証を前提としているため、不正行為による利用者識別情報の登録や削除を確実に防止することができる。
【図面の簡単な説明】
【００２１】
【図１】本発明によるアクセスコントロール装置の外観を示した説明図
【図２】本発明によるアクセスコントロール装置の正面、断面及び底面を示した説明図
【図３】図１のカバーを外して本体内部の構造を示した説明図
【図４】本発明によるアクセスコントロール装置の回路構成を示したブロック図
【図５】カード簡易登録を行う本発明によるアクセスコントロール装置の実施形態を示した機能ブロック図
【図６】図５の実施形態における制御処理を示したフローチャート
【図７】図６のステップＳ１２におけるカード簡易登録処理の詳細を示したフローチャート
【発明を実施するための形態】
【００２２】
図１は本発明によるアクセスコントロール装置の外観を示した説明図である。図１において、アクセスコントロール装置１０は、電気錠を備えた各部屋の扉に対応して扉近傍の壁面などに設置されている。
【００２３】
アクセスコントロール装置１０はカバー１２の上部に非接触カードリーダ部１８を設けており、ここにユーザが保有している非接触カードをかざすことで、カードに格納されている利用者情報が読み取られ、予め登録している利用者情報との比較照合により照合一致が得られたとき電気錠を開錠し、ドアを開いて入室し、ドアを閉じたことを検出した時に電気錠を施錠する。
【００２４】
非接触カードリーダ部１８の下側にはアクセスコントロールに必要な各種の表示及びスイッチが配置されている。カバー１２のパネル面には表示灯として、カード読取状態表示灯２０、電気錠開表示灯２２、戸締表示灯２４、警戒表示灯２６、火災表示灯３２、警報表示灯３４、障害表示灯３６及び電源灯４０が設けられ、また操作スイッチとして、警戒モード設定スイッチ２８、警戒モード解除スイッチ３０及び復旧スイッチ３８が設けられている。
【００２５】
カード読取状態表示灯２０はカードを読み取って、有効なカードであれば緑で点灯し、無効なカードであれば赤で点滅する。電気錠開表示灯２２は電気錠が解錠されているときに点灯する。戸締表示灯２４はアクセスコントロール装置１０に接続している人感センサやシャッターセンサにより侵入者を検出したときや戸締まりが完了していないときに、その状態を表示する。警戒表示灯２６はアクセスコントロール装置１０に接続されている防犯設備（防犯センサ）の警戒状態を表示する。
【００２６】
警戒モード設定スイッチ２８は防犯センサを警戒モードに移行するときに操作する。
【００２７】
警戒モード解除スイッチ３０は防犯センサの警戒モードを解除するときに操作する。
【００２８】
火災表示灯３２は火災受信機から火災代表移報としての火災信号を受けたときに点灯する。
【００２９】
警報表示灯３４は侵入者、火災、接点情報など各種警報状態が発生した際に点灯する。障害表示灯３６は装置自体、システム状態あるいは通信状態などで障害が発生した場合に点灯する。復旧スイッチ３８は火災、警戒、障害など警報状態が発生した場合の警報停止、警報状態ラッチの解除を行うために操作する。
【００３０】
また本実施形態にあっては、例えば警戒モード設定スイッチ２８と警戒モード解除スイッチ３０を利用してカード簡易登録モードの設定、カード簡易登録モードの設定中における利用者カードの登録と削除を行うようにしている。
【００３１】
図２は図１に示したアクセスコントロール装置１０の正面、断面及び底面を示した説明図である。即ち図２（Ａ）が正面、図２（Ｂ）が断面、図２（Ｃ）が底面を示している。
【００３２】
図２において、本実施形態のアクセスコントロール装置１０は、本体１４と、本体１４の表側に着脱自在に設けられたカバー１２で構成されている。本体１４の底部にはシリンダー錠１６が設けられ、鍵を使用してシリンダー錠１６を開錠することで、カバー１２を本体１４から外すことができる。
【００３３】
図３は図１のカバーを外して本体内部の構造を示した説明図である。図３において、アクセスコントロール装置１０の本体１４の内部には回路基板４２が配置されており、回路基板４２の下側に操作スイッチとして、ＵＳＢメモリ取外スイッチ５０、履歴データ書出スイッチ５２、設備データ読込スイッチ５４及び日付設定スイッチ５６を設けている。
【００３４】
本実施形態にあっては、内部スイッチとして例えば設備データ読込スイッチ５４を利用してマスタカード登録モードを設定するようにしている。
【００３５】
また回路基板４２には、ブザー４８、カバー１２の開放を検出するタンパースイッチ４６を設けている。回路基板４２上の右側にはＵＳＢコネクタ６０が配置され、ここにデータ管理をオフラインで行うため可搬型メモリデバイスである例えばＵＳＢメモリを本体１４の右側面から接続して、入退室履歴情報、利用者情報、設備管理情報などの読出し及び書込みを行うことになる。
【００３６】
回路基板４２の左側には破線で示すように、必要に応じてＬＡＮコネクタを接続することができ、必要に応じて本発明のアクセスコントロール装置１０をネットワークを介して上位装置に接続することができる。
【００３７】
ＵＳＢコネクタ６０の下側にはメモリカードとして知られたＣＦカード（コンパクトフラッシュ（Ｒ）カード）６４が配置され、アクセスコントロール装置１０の動作に必要なＯＳイメージ、および必要な各種のデータを事前に格納した上で、図示のように本体１４の回路基板４２にセットすることで、アクセスコントロール装置の制御処理が行えるようにしている。
【００３８】
図２及び図３に示したアクセスコントロール装置１０の構造から明らかなように、ＵＳＢメモリを挿入接続するＵＳＢコネクタ６０は、カバー１２により閉鎖された本体１４内の回路基板４２上に設けられており、ＵＳＢコネクタ６０にＵＳＢメモリを接続するためにはシリンダー錠１６を開錠してカバー１２を外さなければならず、このようなシリンダー錠１６による施錠により鍵を持たない関係者以外の人が不正にＵＳＢメモリを使用して、アクセスコントロール装置１０のデータ取得、閲覧、改竄、更には時刻設定などができないようにしている。
【００３９】
また、ＵＳＢコネクタ６０を本体１４の右側面付近に設け、ＵＳＢメモリを本体１４の右側面から接続する構成にしたことで、ＵＳＢメモリを差し込んだとき、ＵＳＢメモリが本体１４の右側面より外側にはみ出すように接続される。これによりＵＳＢメモリを取り外さないとカバー１２を本体１４に閉めることができず、ＵＳＢメモリの取り忘れを防止している。
【００４０】
図４は本発明によるアクセスコントロール装置の回路構成を示したブロック図である。図４において、アクセスコントロール装置１０にはＣＰＵ７０が設けられ、ＣＰＵ７０に対しては時計回路部として機能するリアルタイムクロック回路部（ＲＴＣ回路部）７２が設けられる。
【００４１】
リアルタイムクロック回路部７２はカレンダークロックとも呼ばれており、年月日時分秒の時刻データを生成し、時刻情報を付加した履歴情報の記憶や設定した時間帯に対応した電気錠１０８の解錠施錠制御ができるようにしている。
【００４２】
また、リアルタイムクロック回路部７２に対しては釦型電池やスーパーキャパシタなどの専用電源７４がバックアップ電源として設けられており、アクセスコントロール装置１０の電源が落ちても時計機能は継続して動作できるようにしている。
【００４３】
またＣＰＵ７０に対しては、ＲＳ４８５インタフェース８０を介して外付けカードリーダ８２を取り付けることができる。またＣＰＵ７０に対しては内蔵カードリーダモジュール８４が設けられており、非接触カードをかざすことで、内部カードリーダモジュール８４により、利用者の保有するカードの利用者情報を取得して電気錠１０８の開錠や施錠などを制御できる。
【００４４】
ＵＳＢインタフェース８６は、ＵＳＢコネクタ６０に対するＵＳＢメモリ１１の接続に対し、後の説明で明らかにするＵＳＢメモリ１１の認証処理に基づいて入退室情報のデータ処理を可能とする。
【００４５】
ＣＰＵ７０の外部バスインタフェース７１に対しては、揮発メモリとして使用されるＳＤＲＡＭ７６、一時バックアップメモリとして使用されるＳＲＡＭ７８、ＣＦカードインタフェース８８、ＬＡＮコントローラ９０、更に状態表示や電気錠の施解錠などを行う制御回路部９４が設けられている。
【００４６】
ここでＳＲＡＭ７８に対してはリアルタイムクロック回路部７２と同じく専用電源７４からバックアップ電源の供給を受けている。
【００４７】
ＣＦカードインタフェース８８は、図３に示したように、ＣＦカード６４の接続に対する入出力インタフェースを実行する。ＬＡＮコントローラ９０は必要に応じてネットワーク９２に接続し、例えば上位のウェブサーバによるアクセスコントロール装置１０で管理しているデータの取得や閲覧などを可能とする。
【００４８】
制御回路部９４に対しては操作部９６が設けられ、ここにはＵＳＢメモリ取出スイッチ５０、履歴データ書出しスイッチ５２、設備データ読込スイッチ５４、日時設定スイッチ５６が設けられている。また制御回路部９４に対しては、表示灯９８、ブザー１００、タンパースイッチ４６が設けられている。
【００４９】
更に制御回路部９４に対しては電気錠駆動回路１０６が設けられ、近傍に設置されたドアの電気錠１０８の施錠と解錠を制御する。更にまた、制御回路部９４に対し接点信号入出力回路部１１０が設けられ、接点信号の入出力により外部機器１１２に対する移報出力や外部機器１１２からの移報入力が行われる。外部機器１１２としては例えば火災報知設備による火災検出接点信号、防犯監視システムによる侵入者検出接点信号の入力などが行われる。
【００５０】
図５はカード簡易登録を行う本発明によるアクセスコントロール装置の実施形態を示した機能ブロック図である。
【００５１】
図５において、アクセスコントロール装置１０に設けたＣＰＵ７０は、プログラムの実行により実現される機能として、マスタカード登録部１１４、利用者カード登録部１１６及び入退室制御処理部１１８を備えている。
【００５２】
またＣＰＵ７０に対しては、図４に示したＳＲＡＭ７８などのメモリ領域及びＣＦカード６４を使用して利用者情報ファイル１２０が設けられ、マスタカード情報１２２、利用者カード情報１２４、更にＵＳＢメモリ１１の認証に使用する管理用シリアルＩＤ１２６などが格納されている。
【００５３】
また図４に示したように、内部スイッチとして設けている設備データ読込スイッチ５４がマスタカード登録モードの設定スイッチとして利用され、更に図１のカバーに設けている警戒モード設定スイッチ２８と警戒モード解除スイッチ３０が、カード登録モードの設定における登録と削除のためのスイッチとして利用される。
【００５４】
一方、アクセスコントロール装置１０に対しては、ＵＳＢメモリ１１を使用して入退室管理に必要な各種の情報をやり取りすることができる。ＵＳＢメモリ１１にはメモリ固有のシリアルＩＤ１２８が設けられており、更に暗号化ファイル１３０にアクセスコントロール装置１０側に転送する認証用の暗号化シリアルＩＤ１３２と例えば利用者情報１３４を格納している。
【００５５】
ＵＳＢメモリ１１を使用して例えば利用者カードを認証するための利用者情報１３４をアクセスコントロール装置１０に設定する場合には、管理用のパーソナルコンピュータを使用して利用者情報を暗号化した暗号化ファイル１３０に書き込み、アクセスコントロール装置１０にＵＳＢメモリ１１を接続した状態で、ＣＰＵ７０によるＵＳＢメモリ１１の認証成功に基づき暗号化ファイル１３０の利用者情報１３４を復号して利用者情報ファイル２０に格納するようになる。
【００５６】
アクセスコントロール装置１０におけるＵＳＢメモリ１１の認証は、シリアルＩＤ１２８を読み込んで暗号化ファイルの暗号化シリアルＩＤ１３２を復号したシリアルＩＤと照合して一致し、更に利用者情報ファイル１２０に格納している管理用シリアルＩＤ１２６にＵＳＢメモリ１１のシリアルＩＤ１２８が一致したときに、照合成功としてＵＳＢメモリ１１との間のアクセスを許可する。
【００５７】
ここでＣＰＵ７０に設けた各部の機能を説明すると次のようになる。まずマスタカード登録部１１４は、アクセスコントロール装置１０の電源を投入して使用を開始する際に、アクセスコントロール装置１０に１枚のみ有効なマスタカードを読み取って、利用者情報ファイル１２０にマスタカード情報１２２を登録する。特許請求の範囲のマスタ識別情報登録部に相当する。
【００５８】
このマスタカード登録部１１４による登録処理は、アクセスコントロール装置１０のカバーを開いて、本体に設けた内部スイッチとしての設備データ読込スイッチ５４を例えば３秒間長押しすると、マスタカード登録モードに入り、マスタカード登録モードに入ってから所定時間内に、図１に示す非接触カードリーダ部１８に登録しようとするマスタカードをかざすと、マスタカードの識別情報の読取りが行われ、マスタカードから読み取ったマスタカード情報１２２を利用者情報ファイル１２０に登録する。
【００５９】
利用者カード登録部１１６は、特許請求の範囲の利用者識別情報登録部に相当するもので、例えばアクセスコントロール装置１０のカバー１２に設けている警戒モード設定スイッチ２８と警戒モード解除スイッチ３０の同時操作した後に、登録の済んだマスタカードを非接触カードリーダ部１８にかざすとマスタカードの読取り認証が行われ、カード簡易登録（利用者情報登録モード）モードになり、利用者カードの登録もしくは削除待ち状態となる。なおマスタカードを読み取った際には、カード読取状態表示灯２０が点灯する。
【００６０】
カード簡易登録モードで利用者カードの登録設定待ち状態になったならば、所定時間内に登録しようとする利用者のカードを非接触カードリーダ部１８にかざすと、利用者カードの読取りが行われる。この読取りの際にブザー４８が鳴動する。利用者カードから読み取られた利用者カード情報は、利用者情報ファイル１２０に既に登録している利用者カード情報１２４と照合され、未登録か否か判別される。
【００６１】
未登録であった場合にはカード読取状態表示灯２０が緑色に点滅し、所定時間内に登録スイッチとして機能する警戒モード設定スイッチ２８を操作するとブザーが鳴動し、利用者情報ファイル１２０に読み取った利用者カード情報が有効カードとして登録される。
【００６２】
この初期登録される利用者カード情報は、組織情報、発行回数、レベル情報などはすべてデフォルトの情報とし、名前情報はアクセスコントロール装置１０における現在日時の時刻情報により登録される。
【００６３】
また利用者カードの登録は、利用者カードを非接触カードリーダ部１８にかざすごとにモード設定時間を設定しているタイマがリスタートされるため、連続して複数枚の利用者カードの登録を行うことができる。
【００６４】
一方、利用者カードの読取りに対し、既に登録済みであることが判別された場合には、カード読取状態表示灯２０が赤色で所定時間点滅し、その間に削除スイッチとして機能する警戒モード設定スイッチ２８を操作するとブザーが鳴動し、該当する利用者カード情報が削除される。
【００６５】
カード読取り後に登録スイッチとしての警戒モード設定スイッチ２８あるいは削除スイッチとしての警戒モード解除スイッチ３０を押さずに所定時間が経過すると、元のカード簡易登録モードの待ち状態に戻り、カード読取状態表示灯２０が橙色に点灯し、次の利用者カードの読取りを待つ。
【００６６】
このような利用者カードの登録は、マスタカードについても同様にして利用者カードとしての有効カードとして登録することができる。
【００６７】
更に利用者カード登録部１１６にあっては、カード簡易登録モードの設定中に削除スイッチとして機能する警戒モード解除スイッチ３０を所定時間以上長押しするとブザーが鳴動し、カード一括削除待機状態となり、このときカード読取状態表示灯２０が赤色で所定時間点滅し、その間に削除スイッチとして機能する警戒モード解除スイッチ３０を押すとブザーが鳴動し、利用者情報ファイル１２０に登録している利用者カード情報１２４がすべて一括削除されることになる。
【００６８】
入退室制御処理部１１８は、登録の済んだ利用者が保有するカードを読み取ることにより得られる利用者カード情報と、利用者情報ファイル１２０に格納している利用者カード情報１２４との照合を行い、照合一致が得られると電気錠を開錠し、利用者の入室を可能とし、利用者がドアを開いて入室したときのドアの開検出と、その後の閉検出に基づき、電気錠を再び施錠する。この際に、図示しない運用履歴に利用者の入室時刻を格納し、これに基づき在室利用者の情報が管理できるようにする。
【００６９】
図６は図５の実施形態における制御処理を示したフローチャートであり、図５を参照して説明すると次のようになる。
【００７０】
図６において、アクセスコントロール装置１０の電源を投入すると、ステップＳ１で初期化及び自己診断処理が実行される。続いてステップＳ２に進み、マスタカード登録モードの設定スイッチとして定められた例えば装置内に設置された内部スイッチである設備データ読込スイッチ５４のスイッチ操作の有無を判別しており、このスイッチ操作を判別するとステップＳ３に進み、マスタカード登録モードを設定して、カード読取状態表示灯２０及び電気錠開表示灯２２を点滅する。
【００７１】
このようにマスタカード登録モードが設定されてからステップＳ４で所定時間の経過を判別するまでに、ステップＳ５で登録しようとするマスタカードを非接触カードリーダ部１８にかざすことによりカードに格納された識別情報の読取りが判別されると、ステップＳ６に進み、利用者情報ファイル１２０にマスタカード情報１２２が登録される。なお、マスタカードは一枚のみ登録が可能としており、既にマスタカード情報が登録されている場合は、新しく読み込んだ識別情報をマスタカードとして更新する。
【００７２】
続いてステップＳ７でカード簡易登録モードを設定するスイッチ操作の有無を判別しており、例えば図５に示した警戒モード設定スイッチ２８と警戒モード解除スイッチ３０の同時操作を判別すると、ステップＳ８に進み、カード簡易登録モード設定待ち状態となる。
【００７３】
この待ち状態で、ステップＳ９で所定時間を経過する前に非接触カードリーダ部１８にステップＳ２〜Ｓ６を通じて既に登録されたマスタカードをかざすと、ステップＳ１０のカード読取りが判別され、ステップＳ１１でマスタカードであることが判別されると、ステップＳ１２に進み、カード簡易登録モードに入ってカード簡易登録処理が実行される。
【００７４】
そしてステップＳ１２のカード簡易登録処理が済むか、ステップＳ９でカード簡易登録モードを設定してから所定時間経過した場合には、ステップＳ１３で入退室制御処理部１１８による運用モード処理に入ることになる。
【００７５】
図７は図６のステップＳ１２に示したカード簡易登録処理の詳細を示したフローチャートである。
【００７６】
図７のカード簡易登録処理にあっては、カード簡易登録モードに入ると、ステップＳ２１でタイマをスタートし、ステップＳ２２でカード読取状態表示灯２０のＬＥＤを橙色に点灯する。続いてステップＳ２３で所定時間経過を判別する前に利用者カードを非接触カードリーダ部１８にかざすと、ステップＳ２４でカード読取りが判別され、ステップＳ２４でブザーを鳴動した後、更にステップＳ２６でタイマをリスタートし、ステップＳ２４で読み取った利用者カード情報と利用者情報ファイル１２０に格納している利用者カード情報１２４を照合し、未登録か否か判別する。
【００７７】
ステップＳ２７で利用者カード情報が未登録であることが判別された場合は、ステップＳ２８に進み、カード読取状態表示灯２０のＬＥＤを緑色で点滅し、ステップＳ２９で所定時間を経過する前にステップＳ３０で登録スイッチとしての警戒モード設定スイッチ２８の操作を判別すると、ステップＳ３１に進み、ブザーを鳴動し、そのとき取得している利用者カード情報を利用者情報ファイル１２０に有効カードとして登録する。
【００７８】
一方、ステップＳ２７でカードが登録済みであった場合には、ステップＳ３２に進み、カード読取状態表示灯２０のＬＥＤを赤色で点滅し、ステップＳ３３で所定時間の経過を判別する前にステップＳ３４で削除スイッチとしての警戒モード解除スイッチ３０のスイッチ操作を判別すると、ステップＳ３５に進み、ブザーを鳴動して、該当する利用者カード情報を利用者情報ファイル１２０から削除する。
【００７９】
このようなカード簡易登録処理によれば、登録したい利用者カードまたは削除したい利用者カードを、スイッチ操作とマスタカードをかざすことによるカード簡易登録モードの設定状態で、利用者カードを非接触カードリーダ部１８にかざして登録スイッチもしくは削除スイッチを押すことで、簡単に利用者カードの有効カードとしての登録、あるいは既に登録済の利用者カードの削除を行うことができる。
【００８０】
なお、上記の実施形態にあっては、マスタカード登録モードを設定する内部スイッチとして設備データ読込スイッチ５４を利用しているが、他の内部スイッチであってもよい。カード簡易登録モードの設定を警戒モード設定スイッチ２８と警戒モード解除スイッチ３０の同時操作により行っているが、これに限らず、他のスイッチでもよいし、あるスイッチを操作しながらマスタカードの読み取りによりモード設定するようにしても良い。
【００８１】
同様にカード簡易登録モードの設定及びその設定状態における登録と削除のスイッチとして、カバーに設けている警戒モード設定スイッチ２８と警戒モード解除スイッチ３０を利用しているが、他のスイッチを利用してもよいことはもちろんである。利用者カードの登録作業効率を向上させるため、装置外部に露出したスイッチを利用して登録や削除ができる方が好ましい。
【００８２】
また、各利用者の識別情報としては、カードに格納された識別情報に限らず、携帯電話などに格納したり、人体の特定部位によって利用者が識別できるものを利用してもよい。
【００８３】
また本発明はその目的と利点を損なうことのない適宜の変形を含み、更に上記の実施形態に示した数値による限定は受けない。
【符号の説明】
【００８４】
１０：アクセスコントロール装置
１１：ＵＳＢメモリ
１２：カバー
１４：本体
１６：シリンダー錠
１８：非接触カードリーダ部
５０：ＵＳＢメモリ取出スイッチ
６０：ＵＳＢコネクタ
７０：ＣＰＵ
７２：ＲＴＣクロック回路部
７４：専用電源
７８：ＳＲＡＭ
９４：制御回路部
１０６：電気錠駆動回路
１０８：電気錠
１１４：マスタカード登録部
１１６：利用者カード登録部
１１８：入退出制御部
１２０：利用者情報ファイル
１２２：マスタカード情報
１２４：利用者カード情報
１２６：管理用シリアルＩＤ
１２８：シリアルＩＤ
【図１】
2010160730.tif 000003
【図２】
2010160730.tif 000004
【図３】
2010160730.tif 000005
【図４】
2010160730.tif 000006
【図５】
2010160730.tif 000007
【図６】
2010160730.tif 000008
【図７】
2010160730.tif 000009